(57)【要約】【課題】現場における作業効率を格段に向上させることができる筆記具を提供する。【解決手段】筆記具本体２である鉛筆の先端２ａから後端２ｂにわたる長手方向範囲の後半部分５へ、チューブ状の弾性体からなる耳用滑り止め部材３を設けると共に、当該筆記具本体２の長手方向範囲の前半部分１７へ、複数のドット状の弾性体１８からなる他の滑り止め部材１８を設けた。【選択図】図３
0003185384.tif 000002
【実用新案登録請求の範囲】
【請求項１】
筆記部分である先端から、その逆側の後端にわたって細長く形成された筆記具本体と、
前記筆記具本体の前記先端から前記後端にわたる長手方向範囲の後半部分へ設けられた耳用滑り止め部材と、
を備えることを特徴とする筆記具。
【請求項２】
前記耳用滑り止め部材は、前記筆記具本体の後半部分へ被せられたチューブ状の弾性体、又は前記筆記具本体の後半部分へ固着された複数のドット状の弾性体であることを特徴とする請求項１に記載の筆記具。
【請求項３】
前記筆記具本体は鉛筆であることを特徴とする請求項１又は２に記載の筆記具。
【請求項４】
前記筆記具本体の前記先端から前記後端にわたる長手方向範囲の前半部分へ設けられた他の滑り止め部材をさらに備え、
前記他の滑り止め部材は、当該前半部分へ設けられた複数のドット状の弾性体であることを特徴とする請求項３に記載の筆記具。
【請求項５】
前記他の滑り止め部材であるドット状の各弾性体は、平面視で略円形状に形成されており、当該各弾性体の直径寸法は０．５ｍｍ〜３．０ｍｍ程度であることを特徴とする請求項４に記載の筆記具。
【考案の詳細な説明】
【技術分野】
【０００１】
本考案は滑り止め部材が設けられた筆記具に関するものである。
【背景技術】
【０００２】
従来、把持した際の指の滑りを止めるための滑り止め部材を設けた筆記具が知られている。例えば特許文献１には、グリップを軸筒の縮径部に設けると共に、そのグリップの表面が軸筒の表面を超えない高さとした筆記具が記載されている。特許文献２には、複数の凸状部を有するグリップを設けた筆記具が記載されており、このようなグリップによって高い滑り止め効果が得られものとされている。特許文献３には、把持部分に軟質材からなるグリップを装着した筆記具が記載されている。この筆記具では、グリップの先端部に先端方向に向かって徐々に大径となる外壁傾斜部と、先端方向に向かって徐々に小径となる内壁傾斜部を形成している。さらにそのグリップの先端部に、グリップの外径で最も大きい最大外径部と、グリップの内径で最も小さい最小内径部とを形成し、グリップの先端部にグリップの肉厚で最も厚い最大肉厚部を形成している。
【先行技術文献】
【特許文献】
【０００３】
【特許文献１】特開２００８−００６７９１号公報
【特許文献２】特開２０１０−２７４４３８号公報
【特許文献３】特開２０１１−０９３２６９号公報
【考案の概要】
【考案が解決しようとする課題】
【０００４】
筆記具の使用形態として、机上で使用する他、建築現場で使用する場合がある。建築現場で使用する場合、例えば作業中の大工職人は、鉛筆を即座に使用し、使用した後、すぐに作業に取りかからなければならない。そのため、大工職人は鉛筆を所要箇所に置くのではなく耳に引っ掛けておき、必要に応じて耳から外して用いることが多い。特許文献１、特許文献２及び特許文献３に記載された筆記具のグリップは、いずれも指が掛かる前半部分へ設けられている。図５のようにグリップ３０が設けられた鉛筆３１を耳１０に掛けて使用すると、その鉛筆３１は耳１０から落下し易く、大工職人は落下した鉛筆３１を下まで取りに降りなければならない。特に高い足場での作業中に、大工職人が耳１０から鉛筆３１を落下させてしまうと、鉛筆３１の芯３２が損傷することがある。このような理由から、従来の筆記具では非常に作業効率が低くなるといった問題がある。
【０００５】
そこで本考案は従来技術の問題点に鑑み、現場における作業効率を格段に向上させることができる筆記具を提供することを目的とする。
【課題を解決するための手段】
【０００６】
上記目的を達成するため次の技術的手段を講じた。即ち本考案の筆記具は、筆記部分である先端から、その逆側の後端にわたって細長く形成された筆記具本体と、前記筆記具本体の前記先端から前記後端にわたる長手方向範囲の後半部分へ設けられた耳用滑り止め部材とを備えることを特徴とする。
【０００７】
本考案によれば、筆記具本体の先端から後端にわたる長手方向範囲の後半部分へ、耳用滑り止め部材が設けられているため、例えば大工職人が建築現場で耳に引っ掛けて使用する際、筆記具が耳から脱落しにくく、高い足場での作業中に筆記具を落としにくい。そのため、大工職人が筆記具を下まで取りに降りることもなくなり、筆記具の先の損傷も防ぐことができる。これにより現場における作業効率を格段に向上させることができる。
【０００８】
前記耳用滑り止め部材は、例えば前記筆記具本体の後半部分へ被せられたチューブ状の弾性体、又は前記筆記具本体の後半部分へ固着された複数のドット状の弾性体とすることができる。耳用滑り止め部材をチューブ状の弾性体とする場合、筆記具を製作しやすく、耳用滑り止め部材を複数のドット状の弾性体とする場合、滑り止め効果が高まり、手触りも良好となる。
【０００９】
本考案が適用される筆記具本体は限定されないが、例えば大工職人等が建築現場で使用する鉛筆とすればよい。この場合、鉛筆が耳から落下しにくくなり、鉛筆の芯の損傷も防ぐことができる。
【００１０】
前記筆記具本体の前記先端から前記後端にわたる長手方向範囲の前半部分へ設けられた他の滑り止め部材をさらに備えるのが好ましい。この他の滑り止め部材は、前記前半部分へ設けられた複数のドット状の弾性体とすればよい。複数のドット状の弾性体からなる他の滑り止め部材を、筆記具本体の長手方向範囲の前半部分に設ければ、例えば大工職人が建築現場で鉛筆の先を削りやすくなり、作業効率が向上する。
【００１１】
前記他の滑り止め部材であるドット状の各弾性体はどのような形状でもよいが、当該各弾性体は平面視で略円形状に形成されており、当該各弾性体の直径寸法は０．５ｍｍ〜３．０ｍｍ程度であることが好ましい。このような複数の弾性体であれば、ポロポロと削り落とし易く、かつ高い滑り止め効果を発揮する。
【考案の効果】
【００１２】
本考案によれば、筆記具本体の先端から後端にわたる長手方向範囲の後半部分へ、耳用滑り止め部材が設けられているため、例えば大工職人が建築現場で耳に引っ掛けて使用する際、筆記具が耳から脱落しにくく、高い足場での作業中に筆記具を落としにくい。そのため、落下した筆記具を下まで取りに降りることがなくなり、筆記具の先の損傷も防ぐことができる。これにより現場における作業効率を格段に向上させることができる。
【図面の簡単な説明】
【００１３】
【図１】本考案の第１実施形態に係る筆記具の側面図である。
【図２】筆記具を耳に引っ掛けている状態を表す使用図である。
【図３】本考案の第２実施形態に係る筆記具の斜視図である。
【図４】筆記具本体である鉛筆の先を削っているときの図である。
【図５】従来の筆記具を耳に引っ掛けたときの使用図である。
【考案を実施するための形態】
【００１４】
以下、本考案の実施形態について図面を参照して説明する。図１は本考案の第１実施形態に係る筆記具１の側面図である。本実施形態の筆記具１は例えば建築現場で大工職人が使用するものであり、筆記具本体２と、この筆記具本体２に設けられた耳用滑り止め部材３とで主に構成されている。筆記具本体２は、筆記部分である先端２ａから、その逆側の後端２ｂにわたって細長く形成された鉛筆である。筆記具本体２の中心部分には鉛筆の芯４が埋め込まれており、先端２ａを削ることによって、図１に示すように先端２ａに鉛筆の芯４が露出するようになっている。
【００１５】
鉛筆である筆記具本体２は一般的なものであり、筆記具本体２の長さは約２０ｃｍ程度であり、直径は１ｃｍ程度である。なお筆記具本体２の形態は限定されず、長さ、径、形状などは適宜変更することができる。耳用滑り止め部材３は、筆記具本体２の先端２ａから後端２ｂにわたる長手方向範囲の後半部分５へ設けられている。
【００１６】
耳用滑り止め部材３はチューブ状の弾性体からなる。この耳用滑り止め部材３は、貫通したものであってもよく、一端が閉塞されているものであってもよい。耳用滑り止め部材３を筆記具本体２に被せる前の状態では、耳用滑り止め部材３の内径は、筆記具本体２の外径よりも小さい。これにより耳用滑り止め部材３を筆記具本体２に被せたときに、耳用滑り止め部材３が径外方向に弾性変形する。これにより耳用滑り止め部材３は筆記具本体２に被せられた状態で簡単には外れないようになっている。
【００１７】
耳用滑り止め部材３の素材は弾性体であれば限定されず、例えば各種の合成ゴムなどが好適である。耳用滑り止め部材３の厚みは例えば０．５ｍｍ〜１．５ｍｍ程度であり、限定されない。耳用滑り止め部材３の長さは、筆記具本体２に対応して変更すればよく、筆記具本体２の長手方向範囲の後半部分５をカバーする寸法が好ましいが、長手方向範囲の中間部６を先端側に超す寸法としてもよい。
【００１８】
図２は本実施形態の筆記具１を耳に引っ掛けている状態を表す使用図である。例えば大工職人である作業者は、筆記具１を耳１０の根元の上側に置き、耳１０の上部分と頭部１１とで挟み込むようにして引っ掛ける。その際、作業者は筆記具本体２の耳用滑り止め部材３を耳１０の上部分と頭部１１との間に挟み込むようにして、筆記具１を固定する。
【００１９】
従来の筆記具のグリップは前半部分へ設けられていたため、図５のように耳から落下し易かったが、本実施形態の筆記具１では、耳用滑り止め部材３が筆記具本体２の後半部５分へ設けられているため、その耳用滑り止め部材３の滑り止め効果によって筆記具１が耳１０から簡単には脱落しないようになっている。仮に、筆記具１が耳１０から脱落することがあっても、筆記具１の後半部分５の方に重心があるため、筆記具１は耳１０を支点として後端２ｂから先に落下していく。そのため筆記具１である鉛筆の芯４の損傷を防ぐこともできる。
【００２０】
本実施形態の筆記具１によれば、筆記具本体２の先端２ａから後端２ｂにわたる長手方向範囲の後半部分５へ、耳用滑り止め部材３が設けられているため、例えば大工職人が建築現場で筆記具１を耳１０に引っ掛けて使用する際、筆記具１が耳から脱落しにくく、高い足場での作業中に筆記具１を落としにくい。そのため、大工職人が筆記具１を下まで取りに降りることもなくなり、筆記具本体２である鉛筆の芯４の損傷も防ぐことができる。これにより現場における作業効率を格段に向上させることができる。
【００２１】
耳用滑り止め部材の他の形態として、筆記具本体２の後半部分５へ固着された図示しない複数のドット状の弾性体としてもよい。この場合、滑り止め効果が高まり、手触りも良好となる。
【００２２】
図３は本考案の第２実施形態に係る筆記具１５の斜視図である。本実施形態の筆記具１５は、筆記具本体１６の先端１６ａから後端１６ｂにわたる長手方向範囲の前半部分１７へ設けられた他の滑り止め部材１８をさらに備えている。前半部分１７へ設けられた他の滑り止め部材１８は複数のドット状の弾性体１９からなる。
【００２３】
本考案の筆記具１５に他の滑り止め部材１８がさらに設けられていることによって、筆記具１５を持ったときに指が滑り難くなる。他の滑り止め部材１８を構成する複数のドット状の弾性体１９の形態は限定しないが、例えば本実施形態のように平面視で略円形状に形成されており、当該各弾性体１９の直径寸法Ｒが０．５ｍｍ〜３．０ｍｍ程度であることが好ましい。
【００２４】
従来、筆記具の長手方向範囲の前半部分に環状の滑り止め部材が設けられたものが知られている。これに対し、本実施形態において筆記具１５の長手方向範囲の前半部分１７へ複数のドット状の弾性体１９からなる滑り止め部材１８を設けた理由は次の通りである。例えば大工職人が建築現場において筆記具本体２である鉛筆の先を削って芯４を出す場合、ナイフなどを用いて行う。その場合、先を削る際にナイフが滑り止め部材に引っ掛かってしまい殆ど削ることができない。
【００２５】
本実施形態では、他の滑り止め部材１８が複数のドット状の弾性体１９からなるため、図４のように筆記具本体２である鉛筆の先を、ナイフ５０で削ると複数のドット状の弾性体１９が削りカスと一緒にポロポロと落ちていく。そのため大工職人が高所において筆記具本体２である鉛筆の芯４を出したい場合、鉛筆の先を削って簡単に芯４を出すことができる。これにより作業効率を格段に高めることができる。なお各実施形態は例示であり制限的なものではない。
【符号の説明】
【００２６】
１、１５  筆記具
２  筆記具本体
３  耳用滑り止め部材
４  芯
５  後半部分
１０  耳
１１  頭部
１７  前半部分
１８  他の滑り止め部材
１９  弾性体
【図１】
0003185384.tif 000003
【図２】
0003185384.tif 000004
【図３】
0003185384.tif 000005
【図４】
0003185384.tif 000006
【図５】
0003185384.tif 000007